(57)【要約】【課題】  わずかなスペースで複数の画像を効果的に表示させる。【解決手段】  携帯型通信機１０は、情報を無線通信するアンテナ２０および無線部３０と、アンテナ２０および無線部３０により通信される情報を表わす、複数の画像を、１つの画面で同時に表示する表示部７０と、情報を入力する操作部５０と、操作部５０に入力された情報に基づいて、複数の画像のうち、変更の対象となる画像を特定し、かつ操作部５０に入力された情報に基づいて、特定された画像を、他の画像に変更するＣＰＵ８０とを含む。【選択図】        図１
2005101959.tif 000002
【特許請求の範囲】
【請求項１】
情報を無線通信するための通信手段と、
前記通信手段により通信される情報を表わす、複数の画像を、１つの画面で同時に表示するための表示手段と、
情報を入力するための入力手段と、
前記入力手段に入力された情報に基づいて、前記複数の画像のうち、変更の対象となる画像を特定するための特定手段と、
前記入力手段に入力された情報に基づいて、前記特定手段によって特定された画像を、他の画像に変更するための変更手段とを含む、携帯型通信機。
【請求項２】
前記表示手段は、
前記複数の画像の画素が混在するように、前記画素を表示する表示装置と、
前記表示装置に対する視点のうち少なくとも２箇所以上の視点において、前記複数の画像のうち、前記２箇所以上の視点ごとに異なる画像が表れるように、前記画素のいずれかを遮る遮蔽材とを含む、請求項１に記載の携帯型通信機。
【請求項３】
前記表示手段は、前記複数の画像に、送信しようとするメールの内容を表示する画像、および前記入力手段に入力された情報に基づいて特定された特定画像が含まれるように、前記複数の画像を表示するための手段を含む、請求項１または２に記載の携帯型通信機。
【請求項４】
前記特定画像は、前記通信手段が受信した情報を表わす画像である、請求項３に記載の携帯型通信機。
【請求項５】
前記通信手段が受信した情報は、メールに含まれる情報、および公開された情報のいずれかを含む、請求項４に記載の携帯型通信機。
【請求項６】
前記特定画像は、前記送信しようとするメールの送信先を特定する画像を含む、請求項３に記載の携帯型通信機。
【請求項７】
前記入力手段は、キーを押下げることにより情報を入力するための手段を含み、
前記特定手段は、前記キーが予め定められた時間継続して押下げられた場合に入力される情報に基づいて、前記変更の対象となる画像を特定するための手段を含む、請求項１から６のいずれかに記載の携帯型通信機。
【発明の詳細な説明】
【技術分野】
【０００１】
本発明は、携帯型通信機に関し、特に、画像を表示できる携帯型通信機に関する。
【背景技術】
【０００２】
近年の携帯型電話機の多機能化に伴い、ディスプレイに表示すべき画像は多岐にわたっている。しかし、従来の携帯型電話機は、１つの表示用ディスプレイに複数の画像を切替えて表示するものである。このような携帯型電話機を用いて複数の画像を見ようとする場合、ユーザは、一度呼び出した画像を閉じてから、他の画像を表示させなくてはならない。すなわち、従来の携帯型電話機には、多くの画像を効率的に表示させることができないという問題がある。このため、より多くの画像を表示させる工夫がなされている。
【０００３】
具体的には、特許文献１に、それぞれ別々のコンテンツを表示できる２つの表示用ディスプレイを有する携帯型電話機が開示されている。
【０００４】
しかしながら、特許文献１に開示されているように、それぞれ別々のコンテンツを表示できる２つの表示用ディスプレイを有する場合には、それらのディスプレイを実装するためにある程度のスペースが必要になる。ある程度のスペースが必要になるので、携帯型電話機のサイズは大きくなる。その結果、携帯型電話機のサイズが大型化するという問題がある。さらに、携帯型電話機において、２つのディスプレイに異なる画像が表示された場合、それらの画像を変更するための操作が非効率化しやすいという問題もある。
【特許文献１】特開２００２−１７１３１７号公報
【発明の開示】
【発明が解決しようとする課題】
【０００５】
本発明は上述の問題点を解決するためになされたものであって、その目的は、わずかなスペースで複数の画像を効果的に表示させる携帯型通信機を提供することにある。
【課題を解決するための手段】
【０００６】
上記目的を達成するために、本発明のある局面にしたがうと、携帯型通信機は、情報を無線通信するための通信手段と、通信手段により通信される情報を表わす、複数の画像を、１つの画面で同時に表示するための表示手段と、情報を入力するための入力手段と、入力手段に入力された情報に基づいて、複数の画像のうち、変更の対象となる画像を特定するための特定手段と、入力手段に入力された情報に基づいて、特定手段によって特定された画像を、他の画像に変更するための変更手段とを含む。
【０００７】
すなわち、通信手段は、情報を無線通信する。表示手段は、通信手段により通信される情報を表わす、複数の画像を、１つの画面で同時に表示する。入力手段は、情報を入力する。特定手段は、入力手段に入力された情報に基づいて、複数の画像のうち、変更の対象となる画像を特定する。これにより、変更手段は、入力手段に入力された情報に基づいて、特定手段によって特定された画像を、他の画像に変更する。その結果、わずかなスペースで複数の画像を効果的に表示させる携帯型通信機を提供することができる。
【０００８】
また、上述の表示手段は、複数の画像の画素が混在するように、画素を表示する表示装置と、表示装置に対する視点のうち少なくとも２箇所以上の視点において、複数の画像のうち、２箇所以上の視点ごとに異なる画像が表れるように、画素のいずれかを遮る遮蔽材とを含むことが望ましい。
【０００９】
すなわち、表示装置は、複数の画像の画素が混在するように、画素を表示する。遮蔽材は、表示装置に対する視点のうち少なくとも２箇所以上の視点において、複数の画像のうち、２箇所以上の視点ごとに異なる画像が表れるように、画素のいずれかを遮る。これにより、表示装置に対する視点のうち少なくとも２箇所以上の視点において、異なる画像が表れるので、１つの画面で複数の画像を同時に表示できる。２箇所以上の視点において視点ごとに異なる複数の画像が表示されるので、１つの画像の大きさは大きくなる。１つの画像の大きさが大きくなるので、複数の画像がより効果的に表示されることになる。その結果、わずかなスペースで複数の画像をより効果的に表示させる携帯型通信機を提供することができる。
【００１０】
また、上述の表示手段は、複数の画像に、送信しようとするメールの内容を表示する画像、および入力手段に入力された情報に基づいて特定された特定画像が含まれるように、複数の画像を表示するための手段を含むことが望ましい。
【００１１】
すなわち、表示手段は、複数の画像に、送信しようとするメールの内容を表示する画像、および入力手段に入力された情報に基づいて特定された特定画像が含まれるように、複数の画像を表示する。これにより、特定画像が表わす情報とメールの内容とが対比され得る。特定画像が表わす画像とメールの内容とが対比され得るので、複数の画像の表示はより効果的になる。その結果、わずかなスペースで複数の画像をより効果的に表示させる携帯型通信機を提供することができる。
【００１２】
もしくは、上述の特定画像は、通信手段が受信した情報を表わす画像であることが望ましい。
【００１３】
すなわち、特定画像は、通信手段が受信した情報を表わす。これにより、通信手段が受信した情報とメールの内容とが対比され得る。通信手段が受信した情報とメールの内容とが対比され得るので、複数の画像の表示はさらに効果的になる。その結果、わずかなスペースで複数の画像をさらに効果的に表示させる携帯型通信機を提供することができる。
【００１４】
もしくは、上述の通信手段が受信した情報は、メールに含まれる情報、および公開された情報のいずれかを含むことが望ましい。
【００１５】
すなわち、通信手段が受信した情報は、メールに含まれる情報、および公開された情報のいずれかを含む。これにより、メールに含まれる情報および公開された情報のいずれかとメールの内容とが対比され得る。メールに含まれる情報および公開された情報のいずれかとメールの内容とが対比され得るので、複数の画像の表示は特にに効果的になる。その結果、わずかなスペースで複数の画像を特に効果的に表示させる携帯型通信機を提供することができる。
【００１６】
もしくは、上述の特定画像は、送信しようとするメールの送信先を特定する画像を含むことが望ましい。
【００１７】
すなわち、特定画像は、送信しようとするメールの送信先を特定する。これにより、送信しようとするメールの送信先とメールの内容とが対比され得る。送信しようとするメールの送信先とメールの内容とが対比され得るので、複数の画像の表示はさらに効果的になる。その結果、わずかなスペースで複数の画像をさらに効果的に表示させる携帯型通信機を提供することができる。
【００１８】
また、上述の入力手段は、キーを押下げることにより情報を入力するための手段を含むことが望ましい。あわせて特定手段は、キーが予め定められた時間継続して押下げられた場合に入力される情報に基づいて、変更の対象となる画像を特定するための手段を含むことが望ましい。
【００１９】
すなわち、入力手段は、キーを押下げることにより情報を入力する。特定手段は、キーが予め定められた時間継続して押下げられた場合に入力される情報に基づいて、変更の対象となる画像を特定する。これにより、変更手段は、簡単な操作で、特定手段によって特定された画像を、他の画像に変更する。その結果、簡単な操作、かつわずかなスペースで複数の画像を効果的に表示させる携帯型通信機を提供することができる。
【発明の効果】
【００２０】
本発明に係る携帯型通信機は、わずかなスペースで複数の画像を効果的に表示させることができる。
【発明を実施するための最良の形態】
【００２１】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２２】
図１を参照して、本実施の形態に係る携帯型通信機１０は、アンテナ２０と、無線部３０と、マイクロホン４０と、操作部５０と、記憶部６０と、表示部７０と、ＣＰＵ（Cen-tral Processing Unit）８０と、スピーカ９０とを含む。アンテナ２０は、音声データや音声データ以外のデータを電波として受信し、電流に変換する。アンテナ２０は、無線部３０が出力した電流を電波に変換し、送信する装置でもある。無線部３０は、アンテナ２０によって変換された電流をＣＰＵ８０が利用可能な信号に変換し、ＣＰＵ８０に転送する。無線部３０は、アンテナ２０によって変換された電流をＣＰＵ８０が出力した信号をアンテナ２０が送信可能な電流に変換する装置でもある。アンテナ２０および無線部３０によって、情報が無線通信される。マイクロホン４０は、ユーザが入力した音声をＣＰＵ８０が利用できる信号に変換し、ＣＰＵ８０に転送する。操作部５０は、キーの押下げにより、情報を入力する。操作部５０は、ユーザにより入力された情報をＣＰＵ８０が利用可能な信号に変換し、ＣＰＵ８０に転送する装置でもある。記憶部６０は、着信履歴、リダイヤル、送受信メール、ウェブのブックマーク、登録された電話番号、およびメールアドレスなどのデータ、ならびに本実施の形態に係る携帯型通信機を実現するためのプログラムを記憶する。表示部７０は、アンテナ２０および無線部３０により通信される情報を表わす、複数の画像を、１つの画面で同時に表示する。本実施の形態の場合、表示部７０は、表示部７０の表示面に対してユーザの視線がなす角度の違いにより、互いに異なる画像を１つの画面に提示できる表示用液晶パネルである。ＣＰＵ８０は、本実施の形態に係る携帯型通信機１０の各部を制御する。ＣＰＵ８０は、各種の値を演算する装置でもある。スピーカ９０は、ＣＰＵ８０が出力した信号を音声に変換し、出力する。
【００２３】
図２を参照して、操作部５０は、通話キー５１と、通話終了キー５２と、選択キー５３と、文字入力キー５４と、ウェブ関連キー５５と、メール関連キー５６とを含む。通話キー５１は、電話番号により予め指定された電話との通話を開始する旨の情報を入力するキーである。通話終了キー５２は、通話中にその通話の終了する旨の情報を入力するキーである。選択キー５３は、表示部７０にメニューが表示されている場合に、そのメニューの中のいずれかを選択する旨の情報を入力するキーである。文字入力キー５４は、文字を表わす情報を入力するキーである。ウェブ関連キー５５は、ウェブに接続し、ウェブコンテンツ（公開された情報）を呼出す旨の情報を入力するキーである。メール関連キー５６は、メールに関する操作（たとえばメールを作成するための画面を表示させたり、受信したメールの一覧表の画像を表示させたりする操作が含まれる。）を実施させる旨の情報を入力するキーである。
【００２４】
図３を参照して、表示部７０が複数の画像を同時に表示できる原理を説明する。表示部７０は、スリット７２と、複数の第１発光ユニット７４と、複数の第２発光ユニット７６とを含む。スリット７２は、遮光部７２２と透過部７２４とを含む。スリット７２は、遮光部７２２および透過部７２４により、第１発光ユニット７４および第２発光ユニット７６が発する光を、遮ったり透過させたりする。スリット７２は、第１発光ユニット７４および第２発光ユニット７６全体に対する視点のうち少なくとも２箇所以上の視点において、複数の画像のうち、２箇所以上の視点ごとに異なる画像が表れるように、画素のいずれかを遮る遮蔽材である。第１発光ユニット７４は、光を発する。第１発光ユニット７４が発する光は、ユーザが「Ａ」の位置から表示部７０を見たときの画像を構成する光である。第２発光ユニット７６は、光を発する。第２発光ユニット７６が発する光は、ユーザが「Ｂ」の位置から表示部７０を見たときの画像を構成する光である。本実施の形態において、第１発光ユニット７４および第２発光ユニット７６全体が、複数の画像の画素が混在するように、画素を表示する表示装置である。ユーザが図３の「Ａ」の位置から表示部７０を見たとき、スリット７２は、第２発光ユニット７６が発する光を遮る。これにより、ユーザは第１発光ユニット７４により表わされる画像のみを見ることができる（以下、第１発光ユニット７４により表わされる画像のみが表われるときの表示部７０を「第１仮想ディスプレイ」と称する）。ユーザが図３における「Ｂ」の位置から表示部７０を見たとき、スリット７２は、第１発光ユニット７４が発する光を遮る。これにより、ユーザは、第２発光ユニット７６により表わされる画像のみを見ることができる（以下、第２発光ユニット７６により表わされる画像のみが表われるときの表示部７０を「第２仮想ディスプレイ」と称する）。以上のようにして、本実施の形態における表示部７０は、表示部７０の表示面に対してユーザの視線がなす角度の違いにより、互いに異なる複数の画像（本実施の形態の場合、２つの画像）を１つの画面に提示できる（以下、このように複数の画像を表示させる表示を、「デュアル・ビュー・ディスプレイ表示」と称する）。ただし、本実施の形態における遮光部７２２は、ＣＰＵ８０の制御により、第１発光ユニット７４および第２発光ユニット７６が発する光を、自由に透過させたり遮ったりできる。遮光部７２２が第１発光ユニット７４および第２発光ユニット７６が発する光を透過させる場合、ＣＰＵ８０は、すべての第１発光ユニット７４および第２発光ユニット７６に、１つの画像を表示するように発光させることができる（以下、このように１つの画像を表示させる表示を、「通常表示」と称する）。
【００２５】
図４を参照して、携帯型通信機１０で実行されるプログラムは、複数の画像の表示に関し、以下のような制御構造を有する。
【００２６】
ステップ１００１（以下、ステップをＳと略す）にて、ＣＰＵ８０は、表示部７０にメール作成画面を表示させる。合わせてＣＰＵ８０は、操作部５０からの入力を受付ける。これにより、通常表示によるメール作成が可能となる。
【００２７】
Ｓ１００２にて、ＣＰＵ８０は、操作部５０から入力された情報に基づいて、デュアル・ビュー・ディスプレイ表示を実施するか否かを判断する。デュアル・ビュー・ディスプレイ表示を実施すると判断した場合（Ｓ１００２にてＹＥＳ）、処理はＳ１００３へと移される。もしそうでないと（Ｓ１００２にてＮＯ）、処理はＳ１００１へと移される。
【００２８】
Ｓ１００３にて、ＣＰＵ８０は、第１仮想ディスプレイにメール作成画面を表示させる。カーソルも第１仮想ディスプレイに表示させる。Ｓ１００４にて、ＣＰＵ８０は、操作部５０からの入力を受付ける。ＣＰＵ８０は、操作部５０に文字を表わす情報が入力されると、第１仮想ディスプレイの画像に、入力された文字を追加する。これにより、デュアル・ビュー・ディスプレイ表示によるメール作成を受付けることとなる。
【００２９】
Ｓ１００５にて、ＣＰＵ８０は、メール関連キー５６が所定の時間（本実施の形態の場合、「２」秒とする。ただし、ここでいう「所定の時間」は、「２」秒以外の時間であってもよい。）押下げられたことに基づいて（本実施の形態の場合、メール関連キー５６が所定の時間押下げられると、その旨を表わす情報が入力されたとみなす。このほか、メール関連キー５６を押下げられたとき入力される情報が、所定回連続して入力されると、メール関連キー５６が所定の時間押下げられた旨を表わす情報が入力されたとみなしてもよい。）第２仮想ディスプレイにカーソルを移動するか否かを判断する。第２仮想ディスプレイにカーソルを移動すると判断した場合（Ｓ１００５にてＹＥＳ）、処理はＳ１００７へと移される。もしそうでないと（Ｓ１００５にてＮＯ）、処理はＳ１００６へと移される。
【００３０】
Ｓ１００６にて、ＣＰＵ８０は、操作部５０から入力された情報に基づいて、第１仮想ディスプレイでメール作成を続行するか否かを判断する。第１仮想ディスプレイでメール作成を続行すると判断した場合（Ｓ１００６にてＹＥＳ）、処理はＳ１００４へと移される。もしそうでないと（Ｓ１００６にてＮＯ）、処理は終了する。
【００３１】
Ｓ１００７にて、ＣＰＵ８０は、第２仮想ディスプレイにメニュー操作画面を表示させる。その際、ＣＰＵ８０は、カーソルも第２仮想ディスプレイに表示させる。この時、ＣＰＵ８０は、引続き操作部５０からの入力を受付ける。
【００３２】
Ｓ１００８にて、ＣＰＵ８０は、操作部５０からの入力により、受信メール表示画面、ウェブコンテンツ表示画面、およびメモリダイヤル表示画面の選択を受付ける。Ｓ１０１１にて、ＣＰＵ８０は、第２仮想ディスプレイに、Ｓ１００８にて選択された画面を表示させる。
【００３３】
Ｓ１０１２にて、ＣＰＵ８０は、メール関連キー５６が所定の時間（本実施の形態の場合、Ｓ１００５と同様に「２」秒とする。ここでいう「所定の時間」が「２」秒以外の時間であってもよいことも同様である。）押下げられたことに基づいて、第１仮想ディスプレイにカーソルを移動させるか否かを判断する。第１の仮想ディスプレイにカーソルを移動させると判断した場合（Ｓ１０１２にてＹＥＳ）、処理はＳ１００４へと移される。もしそうでないと（Ｓ１０１２にてＮＯ）、処理はＳ１０１３へと移される。
【００３４】
Ｓ１０１３にて、ＣＰＵ８０は、操作部５０から入力された情報に基づいて、処理を終了するか否かを判断する。処理を終了すると判断した場合（Ｓ１０１３にてＹＥＳ）、処理は終了する。具体的には、スリット７２を制御して通常表示に変更し、通話を待受ける場合の画像を表示させる。もしそうでないと（Ｓ１０１３にてＮＯ）、処理はＳ１０１１へと移される。
【００３５】
図５を参照して、以上のような構造およびフローチャートに基づく、携帯型通信機１０の動作について説明する。図５は、デュアル・ビュー・ディスプレイ表示が実施されているときの表示部７０の表示面の例を示す図である。
【００３６】
［受信したメールに返信する場合］
通常表示によるメール作成が可能となると（Ｓ１００１）、ＣＰＵ８０は、デュアル・ビュー・ディスプレイ表示を実施するか否かを判断する（Ｓ１００２）。この場合、デュアル・ビュー・ディスプレイ表示を実施すると判断するので（Ｓ１０２にてＹＥＳ）、ＣＰＵ８０は、第１仮想ディスプレイにメール作成画面を表示させる（Ｓ１００３）。メール作成画面が表示されると、ＣＰＵ８０は、デュアル・ビュー・ディスプレイ表示によるメール作成を受付ける。このとき、ＣＰＵ８０は、操作部５０に文字を表わす情報が入力されると、第１仮想ディスプレイの画像に、入力された文字を追加する（Ｓ１００４）。そのように文字が追加されるので、操作部５０に入力された情報に基づいて、ＣＰＵ８０によって特定された画像（第１仮想ディスプレイの画像）を、他の画像に変更することになる。メール作成が受付けられると、ＣＰＵ８０は、第２仮想ディスプレイにカーソルを移動させるか否かを判断する（Ｓ１００５）。これにより、操作部５０に入力された情報に基づいて、第１仮想ディスプレイおよび第２仮想ディスプレイにそれぞれ表示された複数の画像のうち、変更の対象となる画像が特定される。この場合、第２仮想ディスプレイにカーソルを移動させると判断するので（Ｓ１００５にてＹＥＳ）、ＣＰＵ８０は、第２仮想ディスプレイにメニュー操作画面を表示させる（Ｓ１００７）。メニュー操作画面が表示されると、ＣＰＵ８０は、受信メール表示画面などの選択を受付ける（Ｓ１００８）。選択が受付けられると、ＣＰＵ８０は、第２仮想ディスプレイに選択された画面を表示する（Ｓ１０１１）。図５（Ａ）を参照して、このときの表示部７０の画像を示す。図５（Ａ）の左側が第１仮想ディスプレイに表示された画像である。図５（Ａ）の右側が第２仮想ディスプレイに表示された、受信済みメールを表わす画像である。これにより、表示部７０は、複数の画像に、送信しようとするメールの内容を表示する画像、および操作部５０に入力された情報に基づいて特定された特定画像（この場合、アンテナ２０および無線部３０が受信した、メールに含まれる情報を表わす画像）が含まれるように、複数の画像を表示することになる。画像が表示されると、ＣＰＵ８０は、第１仮想ディスプレイにカーソルを移動させるか否かを判断する（Ｓ１０１２）。これにより、操作部５０に入力された情報に基づいて、第１仮想ディスプレイおよび第２仮想ディスプレイにそれぞれ表示された複数の画像のうち、変更の対象となる画像がふたたび特定される。この場合、メールが作成中であることに基づき、ユーザは第１仮想ディスプレイにカーソルを移動させると判断するので（Ｓ１０１２にてＹＥＳ）、Ｓ１００４の処理を経て、ＣＰＵ８０は、再び第２仮想ディスプレイにカーソルを移動させるか否かを判断する（Ｓ１００５）。この場合、メールが作成中であることに基づき、ユーザは第２仮想ディスプレイにカーソルを移動させると判断しないので（Ｓ１００５にてＮＯ）、ＣＰＵ８０は、第１仮想ディスプレイでメール作成を続行するか否かを判断する（Ｓ１００６）。この場合、メール作成が続行されるので（Ｓ１００６にてＹＥＳ）、Ｓ１００４〜Ｓ１００５の処理が繰返される。
【００３７】
［ウェブコンテンツを表示させる場合］
第２仮想ディスプレイにメニュー操作画面が表示されると（Ｓ１００７）、ＣＰＵ８０は、ウェブコンテンツ表示画面などの選択を受付ける（Ｓ１００８）。選択が受付けられると、ＣＰＵ８０は、第２仮想ディスプレイに選択された画面を表示する（Ｓ１０１１）。図５（Ｂ）を参照して、このときの第１仮想ディスプレイおよび第２仮想ディスプレイに表示された画像を示す。図５（Ｂ）の左側に示す画像が第１仮想ディスプレイに表示された画像である。図５（Ｂ）の右側に示す画像が第２仮想ディスプレイに表示された画像である。図５（Ｂ）の右側に示す画像は、公開された情報（すなわちウェブコンテンツ）を表わす画像である。画像が表示されると、ＣＰＵ８０は、第１仮想ディスプレイにカーソルを移動させるか否かを判断する（Ｓ１０１２）。この場合、第１仮想ディスプレイにカーソルを移動させないと判断するので（１０１２にてＮＯ）、ＣＰＵ８０は、処理を終了するか否かを判断する（Ｓ１０１３）。この場合、処理は終了すると判断されるので（Ｓ１０１３にてＹＥＳ）、処理は終了する。
【００３８】
［メモリダイヤルを表示させる場合］
第２仮想ディスプレイにメニュー操作画面が表示されると（Ｓ１００７）、ＣＰＵ８０は、メモリダイヤル表示画面などの選択を受付ける（Ｓ１００８）。選択が受付けられると、ＣＰＵ８０は、第２仮想ディスプレイに、選択された画面を表示させる（Ｓ１０１１）。図５（Ｃ）を参照して、このとき表示部７０に表示される画像を示す。図５（Ｃ）の左側に示す画像が第１仮想ディスプレイに表示される画像である。図５（Ｃ）の右側に示す画像が、第２仮想ディスプレイに表示される、メモリダイヤルを表わす画像（すなわち送信しようとするメールの送信先を特定する画像）である。画像が表示されると、Ｓ１０１２〜Ｓ１００６の処理を繰返し、メール送信後、再びＣＰＵ８０は、第１仮想ディスプレイでメール作成を続行するか否かを判断する（Ｓ１００６）。メール送信によりメール作成は続行されなくなるので（Ｓ１００６にてＮＯ）、処理は終了する。
【００３９】
以上のようにして、本実施の形態に係る携帯型通信機１０は、表示部７０の表示面に対してユーザの視線がなす角度の違いにより、互いに異なる画像を１つの画面に提示できる表示用液晶パネルを用いて、メール作成用の画像とその画像に関連する画像といった、複数の画像を１つの画面に同時に表示させることができる。従来、携帯型電話機を用いてメール作成画面を呼出した後、メールを作成するために必要な情報（たとえば受信メールの内容やウェブコンテンツが表わす情報）を得るためには、一度呼出したメール作成画面を閉じてから、別の画面を呼び出さなければならなかった。メールを送信する場合ばかりでなく、複数の画像を見ようとする場合、ユーザは、一度呼び出した画像を閉じてから、他の画像を表示させなくてはならなかった。従来の携帯型電話機が、１つの表示用ディスプレイに複数の画像を切替えて表示するものだったことがその理由である。これに対し、上述したように本実施の形態に係る携帯型通信機は、１つの表示装置にメール作成用の画像と、その画像に関連する画像（たとえば受信したメールに含まれる情報や公開された情報を表わす画像、もしくはメールの送信先を特定する画像）といった複数の画像が表示される。さらにキー操作によってそれらの画像のうち変更の対象となる画像を切替えることができる。１つの表示装置にそれらの複数の画像が表示され、かつそれらの画像を並行して変更できるので、ユーザは、複数の画像を参照することにより、より効率的にメールを作成できる。その結果、わずかなスペースで複数の画像を効果的に表示させる携帯型通信機を提供することができる。
【００４０】
なお、表示部７０は、上述した液晶パネルの他、レンチキュラーレンズを用いた画面であってもよい。すなわち、スリット７２に代えてレンチキュラーレンズを用いてもよい。レンチキュラーレンズを用いた場合も、スリット７２を用いた場合と同様、表示面に対してユーザの視線がなす角度の違いにより、互いに異なる画像を１つの画面に提示できるので、上述した場合と同様に、効率的な操作が可能となる。
【００４１】
また、表示部７０は、１つの画面に複数の画像を並べて表示する表示装置であってもよい。この場合、表示装置は、表示面に対してユーザの視線がなす角度の違いにより、互いに異なる画像を１つの画面に提示できる装置でなくてもよい。
【００４２】
その他、表示部７０は、右斜めから見た場合と左斜めから見た場合とで異なる画像が表示されるものに限られない。たとえば、斜め上から見た場合と斜め下から見た場合とで異なる画像が表示される表示装置であってもよい。
【００４３】
ちなみに、Ｓ１００８を経ず、Ｓ１０１１にて、ＣＰＵ８０が選択した画像を表示させてもよい。この場合、ＣＰＵ８０が画像を選択するアルゴリズムは特に限定されない。たとえば、メール作成の進捗度に応じて、メモリダイヤルを表わす画像、メール作成前に表示されていたウェブコンテンツの画像、同じくメール作成前に表示されていた受信済みのメールの内容を表わす画像のいずれかを表示させてもよい。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】本実施の形態に係る携帯型通信機の制御ブロック図である。
【図２】本発明の実施の形態に係る携帯型通信機の外観図である。
【図３】本発明の実施の形態に係る表示部が、表示面に対してユーザの視線がなす角度の違いにより、互いに異なる画像を１つの画面に提示できる原理を説明する図である。
【図４】本発明の実施の形態に係る表示処理の制御の手順を示すフローチャートである。
【図５】本発明の実施の形態に係る表示部で、デュアル・ビュー・ディスプレイ表示が実施されているときの表示面の例を示す図である。
【符号の説明】
【００４６】
１０  携帯型通信機、２０  アンテナ、３０  無線部、４０  マイクロホン、５０  操作部、５１  通話キー、５２  通話終了キー、５３  選択キー、５４  文字入力キー、５５  ウェブ関連キー、５６  メール関連キー、６０  記憶部、７０  表示部、７２  スリット、７４  第１発光ユニット、７６  第２発光ユニット、８０  ＣＰＵ、９０  スピーカ、７２２  遮光部、７２４  透過部。
【図１】
2005101959.tif 000003
【図２】
2005101959.tif 000004
【図３】
2005101959.tif 000005
【図４】
2005101959.tif 000006
【図５】
2005101959.tif 000007